(57)【要約】      （修正有）【課題】相互に反対の二方向から視認する複数人の各々が目視により直ちに認識可能なように表示することにより、利便性を向上させる商品収納装置を提供する。【解決手段】商品収納装置１は、収納部１１に収納された整列方向の最後尾の商品を前方に向けて押圧すると共に整列方向に移動自在に収納部に設けられる押え板と、押え板に取り付けられると共に表示部３１を備えるチェッカー３０と、を有する。チェッカー３０は、押え板の移動に伴って、収納部から前方側壁１２の貫通孔１５に繰り出される一方で後方側壁１３から収納部に繰り込まれ、又は収納部から後方側壁の貫通孔に繰り出される一方で前方側壁から収納部に繰り込まれ、前方側壁の外面において表示部３１ａの一部を前方から視認可能にすると共に後方側壁の外面において表示部３１ｂの一部を後方から視認可能にする。【選択図】図１
0003204203.tif 000002
【実用新案登録請求の範囲】
【請求項１】
商品を取り出し可能な状態で整列させて収納する収納部と、前記収納部の前記商品の整列方向の前方に設けられる前方側壁と、前記収納部の前記整列方向の後方に設けられる後方側壁と、を備える収納容器と、
前記収納部に収納された前記整列方向の最後尾の前記商品を前方に向けて押圧すると共に前記整列方向に移動自在に前記収納部に設けられる押え板と、
前記押え板に取り付けられると共に表示部を備え、前記押え板の移動に伴って、前記収納部から前記前方側壁の外面に繰り出される一方で前記後方側壁の外面から前記収納部に繰り込まれ、又は前記収納部から前記後方側壁の外面に繰り出される一方で前記前方側壁の外面から前記収納部に繰り込まれ、前記前方側壁の外面において前記表示部の一部を前方から視認可能にすると共に前記後方側壁の外面において前記表示部の一部を後方から視認可能にするチェッカーと、
を有することを特徴とする商品収納装置。
【請求項２】
前記前方側壁の外面において前方から視認可能な前記表示部と、前記後方側壁の外面において後方から視認可能な前記表示部と、は同一種類の情報を表示する、
ことを特徴とする請求項１記載の商品収納装置。
【請求項３】
前記前方側壁の外面において前方から視認可能な前記表示部と、前記後方側壁の外面において後方から視認可能な前記表示部と、は異なる種類の情報を表示する、
ことを特徴とする請求項１記載の商品収納装置。
【請求項４】
前記前方側壁の外面において前方から視認可能な前記表示部及び前記後方側壁の外面において後方から視認可能な前記表示部の少なくとも一方は、前記収納部に収納されている前記商品の在庫数を示す、
ことを特徴とする請求項１から請求項３の何れかに記載の商品収納装置。
【請求項５】
前記押え板を前方に向けて付勢する付勢部材を更に有する、
ことを特徴とする請求項１から請求項４の何れかに記載の商品収納装置。
【請求項６】
前記前方側壁は、
板厚方向に貫通する第１の貫通孔を備え、
前記後方側壁は、
板厚方向に貫通する第２の貫通孔を備え、
前記チェッカーは、
前記収納部から前記第１の貫通孔を介して前記前方側壁の外面に繰り出され又は前記前方側壁の外面から前記第１の貫通孔を介して前記収納部に繰り込まれると共に、前記後方側壁の外面から前記第２の貫通孔を介して前記収納部に繰り込まれ又は前記収納部から前記第２の貫通孔を介して前記後方側壁の外面に繰り出される、
ことを特徴とする請求項１から請求項５の何れかに記載の商品収納装置。
【考案の詳細な説明】
【技術分野】
【０００１】
本考案は、商品を取り出し可能な状態で収納して陳列する商品収納装置に関する。
【背景技術】
【０００２】
従来、タバコ等の商品を取り出し可能な状態で収納して陳列する商品収納装置が知られている。かかる商品収納装置は、コンビニエンスストア又はスーパー等の店舗に設置されている。商品収納装置に収納される商品は、来店した顧客の要望により店舗の店員等によって適宜取り出されると共に、在庫数が少なくなった際に商品収納装置に適宜補充される。このような従来の商品収納装置としては、収納されている商品の在庫数等を視認可能に表示するものが知られている。
【考案の概要】
【考案が解決しようとする課題】
【０００３】
しかしながら、従来の商品収納装置においては、前後の二方向から商品収納装置を各々視認する複数人のうち、一方向側から商品収納装置を視認する人のみに向けて表示しているため、商品収納装置の表示の表示方向に対して反対方向から商品収納装置を視認する人は、表示を見ることができず、または商品収納装置を回り込んでその表示を見に行く必要を生じ、不便であるという課題を有する。
【０００４】
本考案の目的は、前後の二方向から視認する複数人の各々が目視により直ちに認識可能なように表示することにより、利便性を向上させることができる商品収納装置を提供することである。
【課題を解決するための手段】
【０００５】
本考案に係る商品収納装置は、商品を取り出し可能な状態で整列させて収納する収納部と、前記収納部の前記商品の整列方向の前方に設けられる前方側壁と、前記収納部の前記整列方向の後方に設けられる後方側壁と、を備える収納容器と、前記収納部に収納された前記整列方向の最後尾の前記商品を前方に向けて押圧すると共に前記整列方向に移動自在に前記収納部に設けられる押え板と、前記押え板に取り付けられると共に表示部を備え、前記押え板の移動に伴って、前記収納部から前記前方側壁の外面に繰り出される一方で前記後方側壁の外面から前記収納部に繰り込まれ、又は前記収納部から前記後方側壁の外面に繰り出される一方で前記前方側壁の外面から前記収納部に繰り込まれ、前記前方側壁の外面において前記表示部の一部を前方から視認可能にすると共に前記後方側壁の外面において前記表示部の一部を後方から視認可能にするチェッカーと、を有する。
【考案の効果】
【０００６】
本考案によれば、前後の二方向から視認する複数人の各々が目視により直ちに認識可能なように表示することにより、利便性を向上させることができる。
【図面の簡単な説明】
【０００７】
【図１】本考案の実施形態に係る商品収納装置の分解斜視図である。
【図２】本考案の実施形態に係る商品収納装置の平面図である。
【図３】本考案の実施形態に係る商品収納装置の底面図である。
【図４】図２のＡ−Ａ断面図である。
【図５】本考案の実施形態に係る商品収納装置の正面図である。
【図６】本考案の実施形態に係る商品収納装置の背面図である。
【考案を実施するための形態】
【０００８】
以下、図面を適宜参照して、本考案の実施形態に係る商品収納装置につき、詳細に説明する。図中、ｘ軸、ｙ軸及びｚ軸は、３軸直交座標系を成し、ｙ軸の正方向を前方向、ｙ軸の負方向を後ろ方向、ｘ軸方向を左右方向、ｚ軸の正方向を上方向、及びｚ軸の負方向を下方向として説明する。
【０００９】
＜商品収納装置の構成＞
本考案の実施形態に係る商品収納装置１につき、図１から図６を参照しながら、以下に詳細に説明する。
【００１０】
商品収納装置１は、商品Ｓ１を取り出し可能な状態で収納して陳列する。商品Ｓ１は、典型的にはたばこである。ここで、商品Ｓ１は、店舗で販売する嗜好品、生活雑貨又は飲食料等の商品であると共に、店舗で販売する商品の付属品も含む。商品の付属品としては、ここでは店舗で販売するコーヒー等を店舗で注ぐためのプラスチック製又は紙製のカップを例示する。
【００１１】
具体的には、商品収納装置１は、収納容器１０と、押え板２０と、チェッカー３０と、定荷重リール４０と、を有している。
【００１２】
収納容器１０は、上方が開口した箱状である。収納容器１０は、収納部１１と、前方側壁１２と、後方側壁１３と、底壁１４と、側壁８と、側壁９と、を備えている。
【００１３】
収納部１１は、商品Ｓ１を外部から視認可能な状態で整列させて収納する。収納部１１の上方を除く周囲は、前方側壁１２と、後方側壁１３と、底壁１４と、側壁８と、側壁９と、により囲まれている。
【００１４】
前方側壁１２は、収納部１１の商品Ｓ１の整列方向（前後方向）の前方に設けられている。前方側壁１２の下方には、板厚方向に貫通すると共に底壁１４の側面を露出させる貫通孔１５が形成されている。
【００１５】
後方側壁１３は、収納部１１の商品Ｓ１の整列方向の後方に設けられていると共に前方側壁１２に対向している。後方側壁１３の下方には、板厚方向に貫通すると共に底壁１４の側面を露出させる貫通孔１６が形成されている。
【００１６】
底壁１４の左右方向の中央には、前後方向に沿って板厚方向に貫通する貫通孔１７が形成されている。底壁１４の前方側には、下方に突出するＬ字状の突起部１４１が設けられている（図４参照）。
【００１７】
押え板２０は、前後方向に移動自在に収納部１１に設けられている。押え板２０は、取付部２１と、当接面２２と、係合部２３と、保持部２４と、凹部２５と、を備えている。
【００１８】
取付部２１は、チェッカー３０の係止部３２を係止する。当接面２２は、収納部１１に整列して収納されている商品Ｓ１のうち最後尾の商品Ｓ１に当接することにより収納部１１に収納されている商品Ｓ１全体を前方に押圧する。係合部２３は、貫通孔１７の周囲の内壁に前後方向に移動自在に係合する。保持部２４は、定荷重リール４０を保持する。凹部２５は、定荷重リール４０の帯状部材４１が押え板２０の下方を前後方向に移動自在な左右方向の幅及び高さを有するように形成されている。
【００１９】
チェッカー３０は、帯状であり、押え板２０に取り付けられている。チェッカー３０は、押え板２０の移動に伴って移動する。チェッカー３０は、押え板２０が前方に移動することにより、収納部１１から貫通孔１５を介して前方側壁１２の外面に繰り出される一方で後方側壁１３の外面から貫通孔１５を介して収納部１１に繰り込まれる。また、チェッカー３０は、押え板２０が後方に移動することにより、収納部１１から後方側壁１３の外面に繰り出される一方で前方側壁１２の外面から収納部１１に繰り込まれる。
【００２０】
チェッカー３０は、表示部３１と、係止部３２と、係止部３３と、を備えている。
【００２１】
表示部３１は、表示部３１ａと表示部３１ｂとにより構成されている。表示部３１は、典型的には収納部１１に収納されている商品Ｓ１の在庫数の表示又は広告の表示である。
【００２２】
表示部３１は、収納部１１に収納されている商品Ｓ１の在庫数を表示するものである場合、在庫数を数値又は色分けして表示する。表示部３１は、収納部１１に収納されている商品Ｓ１の在庫数を色分けして表示する場合、在庫数が減るに従って例えば青色、黄色、赤色の順に変化させる。また、表示部３１は、収納部１１に収納されている商品Ｓ１の在庫数を色分けして表示する場合、在庫数が減るに従って前後方向における表示範囲Ｒ１（図３参照）を小さくして色彩の変化する頻度を多くする。
【００２３】
表示部３１ａの一部は、前方側壁１２の貫通孔１５と底壁１４の外底面との間で前方側壁１２の外面に露出して前方から視認可能である。表示部３１ｂの一部は、後方側壁１３の貫通孔１６と底壁１４の外底面との間で後方側壁１３の外面に露出して後方から視認可能である。
【００２４】
表示部３１ａと表示部３１ｂとは、同一種類の情報を表示するものであってもよいし、異なる種類の情報を表示するものであってもよい。ここで、同一種類の情報を表示することは、表示部３１ａと表示部３１ｂとの両方が収納部１１に収納されている商品Ｓ１の在庫数を表示又は広告を表示すること等を意味する。また、異なる種類の情報を表示することは、表示部３１ａ及び表示部３１ｂの何れか一方が収納部１１に収納されている商品Ｓ１の在庫数を表示し、表示部３１ａ及び表示部３１ｂの何れか他方が広告を表示すること等を意味する。
【００２５】
係止部３２は、長手方向の一端に設けられ、押え板２０の取付部２１に係止される。係止部３３は、長手方向の他端に設けられ、底壁１４の突起部１４１に係止される。
【００２６】
付勢部材である定荷重リール４０は、押え板２０と一体に収納部１１内を移動するように押え板２０に保持されている。定荷重リール４０は、帯状部材４１と、収納部４２と、係止部４４と、を備えている。
【００２７】
帯状部材４１の先端には、収納容器１０の突起部１４１に係止される係止孔４３が形成されている。帯状部材４１の係止孔４３が形成されている部分より後方は、巻回された状態で収納部４２に収納されている。収納部４２は、帯状部材４１を巻回させた状態で収納している。係止部４４は、定荷重リール４０の後方に設けられ、チェッカー３０の係止部３３を係止している（図２及び図４参照）。
【００２８】
＜商品収納装置の組立方法＞
本考案の実施形態に係る商品収納装置１の組立方法につき、以下に詳細に説明する。
【００２９】
まず、予め用意しておいた押え板２０の保持部２４に定荷重リール４０を保持させる。
【００３０】
次に、予め用意しておいた収納容器１０の収納部１１に定荷重リールを保持させた抑え板２０を取り付ける。この際、係合部２３を内側に撓ませることにより、係合部２３を貫通孔１７の周囲の内壁に係合させる。
【００３１】
次に、予め用意しておいたチェッカー３０の係止部３２が設けられている端部を外部から貫通孔１５を貫通させて収納部１１に挿入し、係止部３２を押え板２０の取付部２１に係止させる。また、チェッカー３０の係止部３３が設けられている端部を外部から貫通孔１６を貫通させて収納部１１に挿入し、係止部３３を定荷重リール４０の係止部４４に係止させる。
【００３２】
次に、定荷重リール４０の帯状部材４１を収納部４２から凹部２５を介して前方に引き出して、帯状部材４１の係止孔４３を底壁１４の突起部１４１に係止させる。これにより、商品収納装置１は完成する。
【００３３】
＜商品収納装置の動作＞
本考案の実施形態に係る商品収納装置１の動作につき、以下に詳細に説明する。
【００３４】
最初に、前方側壁１２において前方から視認可能な表示部３１ａと、後方側壁１３において後方から視認可能な表示部３１ｂと、が同一種類の情報を表示する場合の商品収納装置１の動作について説明する。ここでは、表示部３１ａと表示部３１ｂとの両方が収納部１１に収納されている商品Ｓ１の在庫数を表示する場合を例に説明する。
【００３５】
まず、商品収納装置１の収納容器１０の収納部１１に商品Ｓ１が補充されることにより、定荷重リール４０は、収納部１１に収納される商品Ｓ１が補充されて増えていくにつれて、商品Ｓ１により押え板２０を介して後方に押圧されることにより、係止孔４３が突起部１４１に係止されているために帯状部材４１が巻回部分から繰り出されると共に帯状部材４１の復帰力により押え板２０を前方に付勢する。また、押え板２０は、収納部１１に収納されている商品Ｓ１が補充されて増えていくにつれて、商品Ｓ１により後方に押圧されることにより定荷重リール４０の前方への付勢力に抗して後方に移動する。押え板２０は、貫通孔１７の周囲の内壁に係合した係合部２３が貫通孔１７の周囲の内壁にガイドされて移動する。
【００３６】
チェッカー３０は、押え板２０の後方への移動に伴って、収納部１１から貫通孔１６を介して後方側壁１３の外面に繰り出される一方で前方側壁１２の外面から貫通孔１５を介して収納部１１に繰り込まれる。これにより、前方側壁１２において前方から視認可能な表示部３１ａ及び後方側壁１３において後方から視認可能な表示部３１ｂは、収納部１１に収納されている商品Ｓ１の在庫数が十分であることを表示する。また、収納部１１に収納されている商品Ｓ１は押え板２０の当接面２２により前方に押圧される。
【００３７】
収納容器１０の収納部１１に収納されている商品Ｓ１が商品Ｓ１を購入する顧客等によって取り出されて減っていくにつれて、押え板２０が定荷重リール４０の付勢力によって前方に付勢されることにより前方に移動し、収納部１１に収納されている商品Ｓ１は押え板２０の当接面２２により前方に押圧される。チェッカー３０は、押え板２０の前方への移動に伴って、収納部１１から貫通孔１５を介して前方側壁１２の外面に繰り出される一方で後方側壁１３の外面から貫通孔１５を介して収納部１１に繰り込まれる。
【００３８】
前方側壁１２において前方から視認可能な表示部３１ａ及び後方側壁１３において後方から視認可能な表示部３１ｂは、収納部１１に収納されている商品Ｓ１の在庫数に応じた同一の表示となる。収納部１１に収納されている商品Ｓ１の在庫数を色分けして表示する場合、在庫数が減るに従って表示部３１の前後方向における表示範囲を狭くして色彩が変化する頻度を多くすることにより、在庫数が少なくなるほど商品Ｓ１の補充が必要であることを視覚的に認識し易くすることができる。
【００３９】
店舗の店員等の後方側壁１３を視認する者は、後方から表示部３１ｂを視認することにより、商品収納装置１の前方に回り込むことなく、収納部１１に収納されている商品Ｓ１の在庫数を直ちに把握することができる。また、前方側壁１２を視認する者は、前方から表示部３１ａを視認することにより、商品収納装置１の収納部１１を覗き込むことなく、収納部１１に収納されている商品Ｓ１の在庫数を直ちに把握することができる。
【００４０】
そして、前方側壁１２の表示部３１ａ又は後方側壁１３の表示部３１ｂを視認した者は、把握した商品Ｓ１の在庫数に応じて商品Ｓ１を収納部１１に補充したり、又は商品Ｓ１の購入数を決定することができる。
【００４１】
このように、前方側壁１２において前方から視認可能な表示部３１ａと、後方側壁１３において後方から視認可能な表示部３１ｂと、が同一種類の情報を表示することにより、前方及び後方の多方向から表示部３１を視認することにより、商品の在庫数等の必要な情報を直ちに把握することができる。
【００４２】
次に、前方側壁１２において前方から視認可能な表示部３１ａと、後方側壁１３において後方から視認可能な表示部３１ｂと、が異なる情報を表示する場合の商品収納装置１の動作について説明する。ここでは、表示部３１ａが広告であり、表示部３１ｂが収納部１１に収納されている商品Ｓ１の在庫数である場合を例に説明する。
【００４３】
まず、商品収納装置１の収納容器１０の収納部１１に商品Ｓ１が補充されることにより、上記と同様に抑え板２０は、定荷重リール４０の前方への付勢力に抗して後方に移動する。チェッカー３０は、押え板２０の後方への移動に伴って、収納部１１から貫通孔１６を介して後方側壁１３の外面に繰り出される一方で前方側壁１２の外面から貫通孔１５を介して収納部１１に繰り込まれる。これにより、後方側壁１３において後方から視認可能な表示部３１ｂは、収納部１１に収納されている商品Ｓ１の在庫数が十分であることを表示する。また、前方側壁１２において前方から視認可能な表示部３１ａは、広告を表示する。
【００４４】
収納容器１０の収納部１１に収納されている商品Ｓ１が商品Ｓ１を購入する顧客等によって取り出されて減っていくにつれて、押え板２０が定荷重リール４０の付勢力によって前方に付勢されることにより前方に移動し、収納部１１に収納されている商品Ｓ１は押え板２０の当接面２２により前方に押圧される。チェッカー３０は、押え板２０の前方への移動に伴って、収納部１１から貫通孔１５を介して前方側壁１２の外面に繰り出される一方で後方側壁１３の外面から貫通孔１５を介して収納部１１に繰り込まれる。
【００４５】
収納容器１０の収納部１１に収納されている商品Ｓ１が補充の必要な在庫数（例えば、３個）になった際に、後方側壁１３において後方から視認可能な表示部３１ｂは、在庫数が少ないことを表示する。
【００４６】
この際、店舗の店員等の後方側壁１３を視認する者は、後方から表示部３１ｂを視認することにより、商品収納装置１の前方に回り込むことなく、収納部１１に収納されている商品Ｓ１の在庫数を直ちに把握することができる。また、商品Ｓ１を購入する顧客等の前方側壁１２を視認する者は、前方から表示部３１ａを視認することにより、表示部３１ａの広告を見ることができる。
【００４７】
そして、前方側壁１２の表示部３１ａ又は後方側壁１３の表示部３１ｂを視認した者は、把握した商品Ｓ１の在庫数に応じて商品Ｓ１を収納部１１に補充したり若しくは商品Ｓ１の購入数を決定することができ、又は広告を見て新たな情報を入手することができる。
【００４８】
このように、前方側壁１２において前方から視認可能な表示部３１ａと、後方側壁１３において後方から視認可能な表示部３１ｂと、が異なる情報を表示することにより、前方から視認する者と後方から視認する者の各々にとって必要な情報を、各々の者に対して直ちに把握させることができる。また、商品Ｓ１の在庫数と一緒に商品Ｓの在庫数以外の広告等を表示することができるため、多岐にわたる情報を表示させることができる。
【００４９】
本実施形態によれば、押え板２０に取り付けられると共に表示部３１を備えるチェッカー３０を設け、押え板２０の移動に伴って、収納部１１から前方側壁１２に繰り出される一方で後方側壁１３から収納部１１に繰り込まれ、又は収納部１１から後方側壁１３に繰り出される一方で前方側壁１２から収納部１１に繰り込まれ、前方側壁１２の外面において表示部３１ａの一部を前方から視認可能にすると共に後方側壁１３の外面において表示部３１ｂの一部を後方から視認可能にすることにより、相互に反対の二方向から視認する複数人の各々が目視により直ちに認識可能なように表示することができ、利便性を向上させることができる。
【００５０】
また、本実施形態によれば、前方側壁１２において前方から視認可能な表示部３１ａ及び後方側壁１３において後方から視認可能な表示部３１ｂの少なくとも一方は、収納部１１に収納されている商品Ｓ１の在庫数であることにより、在庫管理を容易に行うことができる。
【００５１】
また、本実施形態によれば、押え板２０を前方に向けて付勢する定荷重リール４０を有することにより、収納部１１に収納される商品Ｓ１を前方に向けて付勢することができ、商品の在庫数に応じた情報を正確に表示することができる。
【００５２】
また、本実施形態によれば、収納部１１から貫通孔１５を介して前方側壁１２に繰り出され又は前方側壁１２から貫通孔１５を介して収納部１１に繰り込まれると共に、収納部１１から貫通孔１６を介して後方側壁１３に繰り出され又は後方側壁１３から貫通孔１６を介して収納部１１に繰り込まれることにより、簡単な構成で前方側壁１２の外面に表示部３１ａを視認可能にすることができると共に後方側壁１３の外面に表示部３１ｂを視認可能にすることができる。
【００５３】
本考案は、部材の種類、配置、個数等は前述の実施形態に限定されるものではなく、その構成要素を同等の作用効果を奏するものに適宜置換する等、考案の要旨を逸脱しない範囲で適宜変更可能であることはもちろんである。
【００５４】
具体的には、上記実施形態において、定荷重リール４０を設けたが、定荷重リール４０を設けずに、収納容器１０を前方又は後方に傾けることにより押え板２０を前後方向に移動させるようにしてもよい。この場合には、部品点数を減らすことができるので、簡単な構成にすることができ、製造コストを低減することができる。
【００５５】
また、上記実施形態において、表示部３１を商品Ｓ１の在庫数又は広告にしたが、表示部３１を商品Ｓ１の在庫数及び広告以外の表示にすることができる。
【００５６】
また、上記実施形態において、貫通孔１５を前方側壁１２の下方に設けると共に貫通孔１６を後方側壁１３の下方に設けたが、貫通孔１５を前方側壁１２の上方に設けると共に貫通孔１６を後方側壁１３の上方に設けてもよい。この場合には、前方側壁１２及び後方側壁１３における表示部３１の上下方向の表示範囲を大きくすることができ、視覚的により把握し易い表示にすることができる。
【００５７】
また、上記実施形態において、チェッカー３０を貫通させるための貫通孔１５及び貫通孔１６を設けたが、貫通孔１５及び貫通孔１６を設けなくてもよい。この場合、チェッカー３０を移動自在に前方側壁１２及び後方側壁１３の外面、内面及び上面に沿わせて設けることにより、商品Ｓ１の移動を妨げることなく、前方側壁１２の外面及び後方側壁１３の外面に表示部３１の一部を表示させることができる。これにより、前方側壁１２の外面及び後方側壁１３の外面に表示部３１の一部を広く表示させることができ、表示部３１を視覚的に認識させる効果を向上させることができる。また、貫通孔１５及び貫通孔１６を無くすることにより、商品収納装置１の製造を容易にすることができる。
【産業上の利用可能性】
【００５８】
本考案に係る商品収納装置は、商品を取り出し可能な状態で収納して陳列するのに好適である。
【符号の説明】
【００５９】
１  商品収納装置
８  側壁
９  側壁
１０  収納容器
１１  収納部
１２  前方側壁
１３  後方側壁
１４  底壁
１５  貫通孔
１６  貫通孔
１７  貫通孔
２０  押え板
２１  取付部
２２  当接面
２３  係合部
２４  保持部
２５  凹部
３０  チェッカー
３１  表示部
３１ａ  表示部
３１ｂ  表示部
３２  係止部
３３  係止部
４０  定荷重リール
４１  帯状部材
４２  収納部
４３  係止孔
１４１  突起部
Ｓ１  商品
【図１】
0003204203.tif 000003
【図２】
0003204203.tif 000004
【図３】
0003204203.tif 000005
【図４】
0003204203.tif 000006
【図５】
0003204203.tif 000007
【図６】
0003204203.tif 000008